(57)【要約】      （修正有）【課題】階段を降りるとき、物を抱えて降りるとき前がよく見えない状態となる。もっとも危険な状態は最下段がもう１段あるのかないのかの判断ができないときであり、踏み外し事故が起きる。このような踏み外し事故の防止を目標とする。【解決手段】階段の最下段とその上の２段に亘って踏み板にスイッチを設ける。降段するとき該踏み板の上段、中段、最下段と順次体重が加わり、各階段のスイッチはその体重によって閉じ、ブザーとスピーカとランプの回路が格段ごとに順次構成され一定時間の後開路される。ブザーは階段の踏み板の別によって異なった音色に変化させて、ブザーの音色を聞いた時点で、上段、中段、下段の位置が判別できる。同様に階段の位置によって発光色の違う照明灯も同時に点灯させ、降段する人はそのブザー音を聞き、又照明灯の色を視て、そのとき踏んでいる階段の踏み板が最下段から何段目にあるかの判断が出来るようにする。【選択図】図１
2006348722.tif 000002
【特許請求の範囲】
【請求項１】
１．階段の最下段の踏み板に押圧時にのみ接触するスイッチを設け該スイッチはブザーとスピーカとランプと遅延動作リレーを直列に接続した電気回路に直列に挿入し該回路の開閉によってブザーの発音又はスピーカよりの発声及びランプの点滅の有無を司る役目を持った回路構成の１の部品とし、
２．最下段より１段上段の踏み板にも同様のスイッチを設け同様の電気回路を構成し、
３．その１段上の下から３段目の踏み板にも最下段及び下から２段目の階段と同様の形態となるように構成し、
４．最下段の電気回路には特に装置全部の電源を遮断するスイッチを設ける。
５．ブザーとスピーカとランプは階段の近傍に設ける。
以上の如き構成を有する階段の最下段表示装置。
【請求項２】
１．ブザーの鳴動音は各階段別に異なった音色としランプの発光色は各階段別に異なった発光色とすることを特徴とする請求項１に記載の階段の最下段表示装置。
【発明の詳細な説明】
【技術の分野】
【０００１】  本発明は、主として一般家庭の階段の最下段を確認し表示できる装置に関する。
【背景技術】
【０００２】  従来、主として家庭用の階段における事故防止についての発明或いは考案は非常に多く提案されている。階段用手摺りに関する出願では特公開平０７−１７３９１５。特開２００３−３２１１８０。
階段の視認のための照明に関するものでは特開２００５−１４６７４７に代表される出願がある。
【発明の開示】
【発明が解決しようとする課題】
【０００３】  上記に記載した背景技術はいずれも触覚或いは視覚によって安全確認をするための方法若しくは装置器具であった。このため視力の弱い年配者、視界認識或いは上肢に不自由な人、前が見えないくらい洗濯物などを持って階段を下る場合などの階段踏み外しの危険に対しては、従来の技術においてほとんど考慮されていなかった。
本発明は、このような従来の背景技術になかった聴力をも加えることによって階段における事故防止の問題を解決しようとするものであり、階段の踏み外し事故の防止又年配者の階段降下の際に持つ恐怖と不安を取り除くための技術を提供しようとするものである。
【課題を解決するための手段】
【０００４】  本発明は、上記目標を達成するために階段の最下段とその上の段又その上の段と３段の踏み板（以下、下段群踏み板とし、最下段と中段及び上段と称呼する。）に、重量をかけて押圧すれば接点が閉じ、重量を除けば接点が開く開閉スイッチを設ける。人が下りてきたとき下段群踏み板の上段にある踏み板を踏めば上段踏み板に設けた開閉スイッチが閉じ、上段用のブザー及び上段用表示灯の電気回路が閉じて、上段用ブザーが鳴動すると同時に上段用表示灯が点灯する。通常の下段速度で下りてくれば約１秒程度のスイッチ押圧時間内のみ該ブザーが鳴動し該表示灯が点灯する。上段踏み板に重量が長時間静止する場合を考えるとき、上段用遅延動作リレーの時限（０．５〜１．５秒の間を任意設定）動作により上段用ブザー及び上段用表示灯の電気回路は開路され、該ブザーの鳴動は停止し該表示灯は消灯する。上段用遅延動作リレーの時限設定の目的は後述するブザーの鳴動時間及び表示灯の点灯時間に関するリズム及びブザー音色並びに表示灯の識別に便なためである。【０００５】  本発明の最大の特徴は、各段踏み板別に設けた電気回路のブザーの音色別設定である。人が下りてきて上段踏み板に重量が掛かり開閉スイッチが閉じてブザーの鳴動する音色をＡとし、次の中段踏み板に重量が掛かり開閉スイッチが閉じてブザーの鳴動する音色をＢとし、更に下段踏み板に重量が掛かり開閉スイッチが閉じてブザーの鳴動する音色をＣとすれば、階段を下りてきて上段の踏み板に設けたスイッチの接触によってＡ音のブザー音が鳴動する。ブザー音はすでに述べたように各段別にその音色が異なり、音色を聞くことによって踏んでいる階段の段数が最下段から数えて何段目であるかが認識される。この音色の各段の違いは例えば電話機の発信音の”ピッ””ポッ””パッ”でもよく、テレビの時報音”ピッピッピッポーン”でも自由に設定すればよい。更に、ブザー音色以外の、スピーカーによる音声で、”ピッ””ポッ””パッ”の替わりに”いち””にぃ””さん”も考えられる。【０００６】  前記上段ブザー音の鳴動と同時に、同一電気回路に接続されている上段表示灯が点灯し、聴覚並びに視覚によって階段の踏み板の位置が確認できるようにする。上段踏み板に重量が掛かった場合、上段用ブザー（Ｂｚ１）の鳴動と上段用表示灯（Ｌ１）が点灯し、中段踏み板に重量が掛かった場合、中段用ブザー（Ｂｚ２）の鳴動と中段用表示灯（Ｌ２）が点灯し、又踏んでいる段が最下段であれば下段用ブザー（Ｂｚ３）の鳴動を聴き、下段用表示灯（Ｌ３）の点灯を視て、聴覚に加えて視覚との両方で踏み外し事故の多い危険ゾーンの認識を行うものである。
この例では、最下段から階段の上方に向かって３段のみを対象としたが、全階段を対象としてこの方法を適用してもよい。【０００７】  本発明の動作シーケンスを図１において説明すれば、今階段を下りてきて体重等の重量が上段に掛かったとすれば、上段踏み板に設けてあるスイッチの接点（１Ａ及び１Ａ’）が押圧力によって接点を閉じ、上段用の電気回路は閉路される。
このときの回路は
（イ）−上段踏み板スイッチ接点（１Ａ）−上段用ブザー（Ｂｚ１）−上段用表示灯（Ｌ１）−上段用遅延動作リレー（１Ｂ）−上段踏み板スイッチ接点（１Ａ’）−下段用遅延動作リレー接点（３ｂ”）−（ロ）
の回路が構成されて、上段用ブザー（Ｂｚ１）鳴動、上段用表示灯（Ｌ１）点灯、上段用遅延動作リレー（１Ｂ）動作となる。
上記回路により上段用遅延動作リレー（１Ｂ）の動作接点（１ｂ）が閉じ、
（イ）−動作接点（１ｂ）−上段用遅延動作リレー（１Ｂ）−動作接点（１ｂ’）−復旧接点（３ｂ”）−（ロ）
の回路によって上段用ブザー（Ｂｚ１）は鳴動が止み、上段用表示灯（Ｌ１）は消灯する。動作接点（１ｂ）を挿入した理由は、上段踏み板スイッチが、物品の積載又は他の理由によって接点（１Ａ）が長時間オン状態となれば、ブザーは鳴動を続け、表示灯は点灯状態となり後続のシーケンスに支障が生じることを防止するためである。又上段踏み板スイッチが外力等によって不安定な動作を繰り返す場合、電気回路の誤動作の原因となるため、遅延動作リレー（１Ｂ）には動作遅延コイルを設け時限（０．５秒〜１．５秒程度）を設定し、不安定動作を電気的に吸収する目的もある。遅延動作リレー（１Ｂ）の回路は、踏み板スイッチの動作接点（１Ａ）が接触したときに動作回路が構成され上段用ブザー（Ｂｚ１）は鳴動を開始し、上段用表示灯（Ｌ１）は点灯すると同時に動作を開始するが、動作接点（１ｂ）はリレーに動作遅延コイルを設けてあるため直ちに動作せず、０．５秒〜１．５秒（この範囲で任意に設定）後に動作する。したがって上段用ブザー（Ｂｚ１）と上段用表示灯（Ｌ１）は、踏み板スイッチの動作接点（１Ａ）が接触した時点から動作接点（１ｂ）が回路を短絡して無電圧となった時点まで上段用ブザー（Ｂｚ１）は鳴動を続け、上段用表示灯（Ｌ１）は点灯する。つまり、１秒間前後の上段用ブザー（Ｂｚ１）の鳴動時間であり、上段用表示灯（Ｌ１）の点灯時間である。【０００８】  中段用のシーケンス動作は、上段用のシーケンス動作と全く同じであり、同じシーケンス動作の繰り返しである。【０００９】  最下段の場合のシーケンスについても同じであるが、前２段のシーケンスと全く同様とすれば、各リレーは動作保持の状態が継続する。このため遅延動作リレー（３Ｂ）には、復旧接点（３ｂ”）を付加し遅延動作リレー（３Ｂ）の動作と同時に全回路の電源を遮断し、初期設定状態に戻して、次の動作準備態勢に入る。
【図面の簡単な説明】
【図１】  本発明の電気回路シーケンス図
【図２】  本発明の階段踏み板スイッチ図
【符号の簡単な説明】
１Ｂ                −−−−    上段用遅延動作リレー
２Ｂ                −−−−    中段用遅延動作リレー
３Ｂ                −−−−    下段用遅延動作リレー
１Ａ・１Ａ’        −−−−    上段踏み板スイッチ
２Ａ・２Ａ’        −−−−    中段踏み板スイッチ
３Ａ・３Ａ’        −−−−    下段踏み板スイッチ
１ｂ・１ｂ’        −−−−    １Ｂリレー接点
２ｂ・２ｂ’        −−−−    ２Ｂリレー接点
３ｂ・３ｂ’・３ｂ”  −−−−  ３Ｂリレー接点
Ｂｚ１              −−−−    上段用ブザー
Ｂｚ２              −−−−    中段用ブザー
Ｂｚ３              −−−−    下段用ブザー
Ｌ１                −−−−    上段用表示灯
Ｌ２                −−−−    中段用表示灯
Ｌ３                −−−−    下段用表示灯
【図１】
2006348722.tif 000003
【手続補正書】
【提出日】平成17年9月7日(2005.9.7)
【手続補正１】
【補正対象書類名】明細書
【補正対象項目名】全文
【補正方法】変更
【補正の内容】
【発明の詳細な説明】
【技術分野】
【０００１】  本発明は、主として一般家庭の階段の最下段を表示できる装置に関するものである。
【背景技術】
【０００２】  従来、主として家庭用の階段における踏み外し等の事故防止に関する発明又は考案が非常に多く提案されている。原因別に階段用手摺りに関する出願。（特公開平０７−１７３９１５）（特開２００３−３２１１８０）又は階段踏み板の照明に関する出願（特開２００５−１４６７４７）などがある。
【発明の開示】
【発明が解決しようとする課題】
【０００３】  上記の背景技術は、いずれも触覚或いは視覚によって安全確認を行うための方法若しくは装置器具であった。他方、視力が弱い年配者、体力のない病弱者、或いは下が見えないほどの物を持って階段を下りてくる人などは対象外であって、階段踏み外し事故などの危険については、ほとんど考慮されていなかった。  本発明は、背景技術に考慮されていない聴力を主に、より安全を図る手段の一つとして階段における踏み外し事故の防止問題を解決しようとするものである。
【課題を解決するための手段】
【０００４】  本発明は、上記の課題を解消するために、階段の最下段と、その上の段、更にその上の段と、３段程度の踏み板（以下、下段群踏み板とし、最下段・中段・上段と称呼する。）それぞれに、押圧すれば接点が閉じ、押圧力を除けば接点が開く開閉スイッチを、上段用ブザーと上段用表示灯と上段用遅延動作リレーとの動作回路に直列に挿入する。階段を下降するとき下段群踏み板の上段踏み板を踏み重量を加えれば、上段踏み板に設けた開閉スイッチが閉じ、上段用ブザー鳴動と上段用表示灯点灯と上段用遅延動作リレーが動作する。上段踏み板に設けた開閉スイッチが閉じると上段用ブザー鳴動と上段用表示灯点灯とが開始する。上段用遅延動作リレーは１秒前後（時間の設定は任意）のタイムラグの後動作するため、上段用遅延動作リレーが動作すれば上段用ブザーは鳴動停止、上段用表示灯は消灯する。上段用ブザーの音色、上段用表示灯の色彩は下段群踏み板の別の認識を容易にするために同一の音色及び色彩としない。
【発明の効果】
【０００５】  上述のように、階段を下降する場合最下段に到達する２，３段前から最下段を音色と表示灯の色彩で予知でき、身体障害の方々や高齢者で階段を下降するときに恐怖感を持つ方々には、大きな安心感を与えることができる。  又、表示灯の点灯が見えなくても、警報音を聞けば階段を下降する人がいることを察知でき、ほかの人などとの、ぶつかり怪我などを回避することができる。
【発明を実施するための最良の形態】
【０００６】  本発明の特徴は、各段の踏み板別に設けたブザー音の鳴動及び音色である。階段を下降してきて、下段群踏み板の上段踏み板に体重が掛かり上段用スイッチが接触して上段用ブザーが鳴動する。この場合の音色を仮に’Ａ’とし次の中段踏み板に体重が移行すれば音色は中段用に設定した’Ｂ’音色となる。更に下段に移行すれば音色は下段用に設定した’Ｃ’音色となる。このように各段ごとに音色を定め、周知しておけば、下降する際にそのブザー音を聞くのみでどの階段踏み板を踏んでいるかが認識できる。基本的にブザー音としたが、具体的にはＡ音Ｂ音Ｃ音の連続音となるため、電話機のボタン押下音’ピッ’’ポッ’’パッ’でもよく、時報のカウント音の’ピッ’’ピッ’’ピッ’’ポーン’なども馴染みのある音でカウントダウンに使用すると、より効果が上がる。  表示灯の色彩を変化させることも上記のブザー音の場合と同様の理由である。具体的には道路交差点の信号と同様に下段群踏み板の上段踏み板を踏んだ場合’青’次ぎの中段踏み板を踏んだ場合’黄’次ぎは’赤’と、これも一般的に馴染んでいる色彩を選択することによって、勘違い、見違いなどのケアミス現象防止に効果的である。
【実施例】
【０００７】  以下、図面（回路図）によって一実施例を説明する。今、降段者が階段を降りてきて、下段群踏み板の上段踏み板を踏んだ場合、上段踏み板に設けてある上段踏み板スイッチ（１Ａ、１Ａ’）は押圧によって閉じる。（押圧力がなくなれば上段踏み板スイッチ（１Ａ、１Ａ’）は復旧し開路する。）上段踏み板スイッチ（１Ａ、１Ａ’）によって、  電源端子（ロ）−３Ｂリレー接点（３ｂ”）−上段踏み板スイッチ（１Ａ’）−上段用遅延動作リレー（１Ｂ）−上段用表示灯（Ｌ１）−上段用ブザー（ＢＺ１）−上段踏み板スイッチ（１Ａ）−電源端子（イ）の回路によって、上段用遅延動作リレー（１Ｂ）動作開始。上段用表示灯（Ｌ１）点灯。上段用ブザー（ＢＺ１）鳴動。上段用遅延動作リレー（１Ｂ）は遅延用コイル（名称は付与せず。）によって動作完了は１秒前後遅れることになり、１Ｂリレー接点（１ｂ）が閉じる時間も１秒前後遅れることになる。１Ｂリレー接点（１ｂ）が閉じることにより、上段用表示灯（Ｌ１）及び上段用ブザー（ＢＺ１）の動作は解放される。つまり、上段用表示灯（Ｌ１）の点灯時間及び上段用ブザー（ＢＺ１）の鳴動時間は、上段踏み板スイッチ（１Ａ、１Ａ’）が接触してから１Ｂリレー接点（１ｂ）が閉じるまでの時間である。この後は、上段用遅延動作リレー（１Ｂ）が自己の接点（１ｂ、１ｂ’）を自己保持接点として動作を継続しする。  上段用表示灯（Ｌ１）及び上段用ブザー（ＢＺ１）の動作時間を１秒前後と設定したのは、降段者が降段を続けている短時間に次の中段踏み板に移動するため次のシーケンス動作に支障があるため、又は上段踏み板スイッチ（１Ａ’）が外力によって不安定な動作を繰り返す現象を起こした場合、電気回路の誤動作を防止するためである。  以上が一連のシーケンス動作であり、各段ごとにまったく同じ動作を繰り返すのみである。  最下段の場合のシーケンスについても同じであるが、前段までの回路状態をチェックすれば、各シーケンス回路に遅延動作リレーが自己の接点を自己保持接点として動作を継続している。このため最下段の遅延動作リレー（３Ｂ）が動作すると同時に３Ｂリレー接点（３ｂ”）によって全回路の電源を遮断する。【０００８】  一方、階段を昇段する場合についてのシーケンスは、最下段の踏み板スイッチ（３Ａ、３Ａ’）に重力がかかっても、遅延動作リレー（３Ｂ）、表示灯（Ｌ３）、ブザー（ＢＺ３）の回路に直列に各遅延動作リレーのスイッチ１個宛を挿入してあるため、全段の遅延動作リレーが動作していない限り最下段のシーケンスは進行しない。
【図面の簡単な説明】
【０００９】
【図１】本発明の電気回路シーケンス図
【符号の簡単な説明】
【００１０】  １Ｂ                  上段用遅延動作リレー  ２Ｂ                  中段用遅延動作リレー  ３Ｂ                  下段用遅延動作リレー  １Ａ１Ａ’１Ａ”      上段踏み板スイッチ  ２Ａ２Ａ’２Ａ”      中段踏み板スイッチ  ３Ａ３Ａ’３Ａ”      下段踏み板スイッチ  １ｂ１ｂ’１ｂ”      １Ｂリレー接点  ２ｂ２ｂ’２ｂ”      ２Ｂリレー接点  ３ｂ３ｂ’３ｂ”      ３Ｂリレー接点  Ｂｚ１                上段用ブザー  Ｂｚ２                中段用ブザー  Ｂｚ３                下段用ブザー  Ｌ１                  上段用表示灯  Ｌ２                  中段用表示灯  Ｌ３                  下段用表示灯